(57)【特許請求の範囲】
【請求項１】
郵便物の投函口と取出し口を有する郵便受け箱本体と、郵便受け箱本体に回動自在に設けてあり取出し口を開閉する扉と、扉に設けたロック手段とを備え、扉は、扉本体と、扉本体の表側に横方向又は上下方向にスライド自在に設けたカバー材とを有し、ロック手段は扉本体に取付けてあり、カバー材をスライドさせたときにロック手段の操作が可能になることを特徴とする郵便受け箱。
【請求項２】
扉本体は、表側が開放する凹部を有し、ロック手段の操作部が凹部に設けてあることを特徴とする請求項１記載の郵便受け箱。
【請求項３】
扉本体の裏側に、縦横寸法を取出し口の縦横寸法と略同一とした裏側部を有し、裏側部が取出し口に嵌まり込んでいることを特徴とする請求項１又は２記載の郵便受け箱。
【請求項４】
扉本体は、表側部材と裏側部材とからなり、取出し口は、内周側に延出する延出片と延出片から表側に突出する突出片とを有し、突出片で筒状部が形成してあり、裏側部材が筒状部の外周を表側から囲んでいることを特徴とする請求項１，２又は３記載の郵便受け箱。
【発明の詳細な説明】
【技術分野】
【０００１】
本発明は、郵便受け箱に関する。
【背景技術】
【０００２】
壁面に取付けられる郵便受け箱は、特許文献１や非特許文献１に示すように、投函された郵便物の取出し口が前面に設けられ、その取出し口を前方に回動して開く扉で塞いでいる。この扉には、セキュリティ確保のためにダイヤル錠を取付けているが、ダイヤル錠が郵便受け箱の正面に露出するため、第三者にダイヤル錠を操作されて扉が開けられたり、意匠を損ねる問題があった。
【特許文献１】特開２００１−７８８７６号公報
【非特許文献１】「三協立山アルミ  エクステリア総合カタログ」（カタログＮｏ．ＳＴＸ０１４０Ａ  Ｓ．０７．０３−２２３４）、三協立山アルミ株式会社、２００７年３月、ｐ．２０８−２１１
【発明の開示】
【発明が解決しようとする課題】
【０００３】
本発明は以上に述べた実情に鑑み、セキュリティ性と意匠性の優れた郵便受け箱の提供を目的とする。
【課題を解決するための手段】
【０００４】
上記の課題を達成するために請求項１記載の発明による郵便受け箱は、郵便物の投函口と取出し口を有する郵便受け箱本体と、郵便受け箱本体に回動自在に設けてあり取出し口を開閉する扉と、扉に設けたロック手段とを備え、扉は、扉本体と、扉本体の表側に横方向又は上下方向にスライド自在に設けたカバー材とを有し、ロック手段は扉本体に取付けてあり、カバー材をスライドさせたときにロック手段の操作が可能になることを特徴とする。
【０００５】
請求項２記載の発明による郵便受け箱は、請求項１記載の発明の構成に加え、扉本体は、表側が開放する凹部を有し、ロック手段の操作部が凹部に設けてあることを特徴とする。
【０００６】
請求項３記載の発明による郵便受け箱は、請求項１又は２記載の発明の構成に加え、扉本体の裏側に、縦横寸法を取出し口の縦横寸法と略同一とした裏側部を有し、裏側部が取出し口に嵌まり込んでいることを特徴とする。
【０００７】
請求項４記載の発明による郵便受け箱は、請求項１，２又は３記載の発明の構成に加え、扉本体は、表側部材と裏側部材とからなり、取出し口は、内周側に延出する延出片と延出片から表側に突出する突出片とを有し、突出片で筒状部が形成してあり、裏側部材が筒状部の外周を表側から囲んでいることを特徴とする。
【発明の効果】
【０００８】
請求項１記載の発明による郵便受け箱は、取出し口を開閉する扉の表側にカバー材をスライド自在に設け、カバー材をスライドさせたときにロック手段の操作が可能になるようにしたので、第三者にロック手段を操作されるのを防止してセキュリティ性を高めることができると共に、ロック手段が露出しないことで意匠性を高められる。
【０００９】
請求項２記載の発明による郵便受け箱は、扉本体に表側が開放する凹部を有し、凹部にロック手段の操作部を設けたので、ロック手段の設置が容易になると共に、カバー材がロック手段の操作部と接触せず、カバー材の製作や設置が容易になる。
【００１０】
請求項３記載の発明による郵便受け箱は、扉本体の裏側に縦横寸法が取出し口の縦横寸法と略同一の裏側部を設け、裏側部が取出し口に嵌まり込むようにしたので、取出し口から郵便受け箱内に雨水が浸入するのを防止できる。
【００１１】
請求項４記載の発明による郵便受け箱は、取出し口に内周側に延出する延出片と延出片から表側に突出する突出片とを有し、突出片で筒状部が形成してあり、裏側部材が筒状部の外周を表側から囲んでいることで、裏側部材の外周を伝って雨水が浸入しても筒状部により雨水が塞き止められるため、取出し口から郵便受け箱内に雨水が浸入するのをより一層確実に防止できる。また、扉本体を表側部材と裏側部材の二部材から構成することで、扉本体を容易に製作できる。
【発明を実施するための最良の形態】
【００１２】
以下、本発明の実施の形態を図面に基づいて説明する。図１〜図７は、本発明の郵便受け箱の一実施形態を示している。この郵便受け箱は、図１，２に示すように、正面視で縦長の長方形の箱状に形成された郵便受け箱本体１と、郵便受け箱本体１の前面に設けた扉４と、郵便受け箱本体１の上面に設けた上蓋１０とを備えている。この郵便受け箱は、主として郵便受け箱本体１の後面を外壁や塀などに固定して設置される。
【００１３】
郵便受け箱本体１は、薄い金属板で形成してあり、図３，４に示すように、上面に郵便物の投函口２が設けてあり、前面に取出し口３が設けてある。取出し口３は、裏側に向けて曲がった折曲片１１ｂと、折曲片１１ｂから内周側に延出する延出片１１ｃと、延出片１１ｃから表側に突出する突出片１１ａとからなる凹溝１１が全周に形成してあり、突出片１１ａで筒状部２６が形成してある。筒状部２６の先端は郵便受け箱本体１の前面よりやや後側に位置しており、上側と下側の端縁に折返し部１２が外周側に突出して設けてある。なお、折返し部１２は筒状部２６の全周に設けてもよい。取出し口３内側の上下方向の中間よりやや下方の位置には、扉４を開けたときに中の郵便物が倒れて取出し口３から飛び出すのを防ぐ横桟１３が取付けてある。
上蓋１０は、図３に示すように、郵便受け箱本体１上面の後端部にヒンジ１４により上方に回動自在に取付けてある。
【００１４】
扉４は、取出し口３を開閉するものであって、図４に示すように、郵便受け箱本体１前面の右側の縁部に蝶番２５で回動自在に取付けてある。扉４は、図２に示すように、縦横寸法が郵便受け箱本体１よりも大きく、正面から見ると扉４の後方に郵便受け箱本体１が隠れるようになっている。扉４は、図５に示すように、扉本体５と、扉本体５の表側部を覆うカバー材６とで構成され、さらに扉本体５は表側部材５ａと裏側部材５ｂの２部材を接合して形成してある。カバー材６は、図３に示すように、扉本体５の表側部材５ａの上下縁部に係合して、横方向（左右方向）にスライド自在に設けてある。表側部材５ａ、裏側部材５ｂ及びカバー材６は、それぞれ薄い金属板で形成してある。
【００１５】
扉本体５の裏側部材５ｂは、図３〜５に示すように、上下左右の縁部を後方に折り曲げ、裏側が開放した浅い箱状に形成してある。裏側部材５ｂの左右方向の中央部には、上下方向の略全長に亘って開口部１５を形成すると共に、開口部１５の裏側にガラス１６を取付けて、窓部１７を形成してある。裏側部材５ｂの左側には、ダイヤル錠７を取付けてある。裏側部材５ｂの縦横寸法は、凹溝１１を含めた取出し口３の縦横寸法と略同一としてあり、扉４を閉めた状態では、図３，４に示すように、裏側部材５ｂが取出し口３の折曲片１１ｂの内周側に嵌まり込んでおり、裏側部材５ｂが取出し口３の筒状部２６の外周を表側から囲んでいる。そのため、裏側部材５ｂの外周を伝って雨水が浸入しても、突出片１１ａや折返し部１２により雨水が塞き止められ、取出し口３から郵便受け箱本体１内に雨水が浸入するのを確実に防止できる。凹溝１１内に浸入した雨水は、延出片１１ｃや筒状部２６の外周を伝って下方に移動し、下側の凹溝１１から外に排水される。
表側部材５ａは、図３〜５に示すように、上下と左側の縁部を前方に折り曲げて凹部８を形成し、表側と右側が開放した浅い箱状に形成してある。表側部材５ａは、縦横の寸法が裏側部材５ｂよりも一回り大きく形成してあり、取出し口３を前方から塞いでいる。表側部材５ａは、裏側部材５ｂの窓部１７と重なるように左右方向の中央部に開口部１８を設けてあり、且つ左側の縁よりの位置にダイヤル錠７の操作部７ａを逃がすように丸穴１９を形成してある。ダイヤル錠の操作部７ａは、この丸穴１９に挿通されて凹部８内に位置している。表側部材５ａの上面の左右方向の略中央位置には、カバー材６のスライド範囲を規制するストッパー２０が上方に突出して設けてある。
【００１６】
カバー材６は、図３に示すように、上部と下部を後方にコ字状に折り曲げて溝部２１を形成してあって、縦断面が略Ｃ字状となっており、また図４に示すように、右側の縁部を後方に折り曲げてあり、裏側と左側が開放した浅い箱状に形成してある。上下の溝部２１の内側には、硬質樹脂で形成したコ字形の摺接部材９が、左右方向に間隔をあけて２つずつ取付けてあり、摺接部材９が扉本体５の表側部材５ａの上縁部と下縁部にスライド自在に係合している。カバー材６の左右方向の中央部には、縦方向のスリット状に開口部２２を形成し、開口部２２の裏側にガラス２３を取付けて窓部２４を形成してある。カバー材６の窓部２４は、図４に示すように、カバー材６が扉本体５の前面を覆う状態で扉本体５の窓部１７の前方に重なっている。カバー材６は、扉本体５の表側部材５ａに右側からスライドして取付ける。カバー材６を取付けると、扉本体５の表側部材５ａの凹部８がカバー材６により遮蔽され、凹部８により表側部材５ａとカバー材６との間に空間ができる。
【００１７】
本郵便受け箱は以上のように構成され、図１（ａ）などに示すように、扉４の表側部材５ａがカバー材６で覆われており、ダイヤル錠７がカバー材６で隠蔽されているため、セキュリティ性と意匠性が高められたものとなっている。さらに、扉本体５の裏側部材５ｂが取出し口３の凹溝１１に嵌まり込み、筒状部２６の外周を表側から囲んでいることで、取出し口３から郵便受け箱本体１内に雨水が浸入するのを防止できる。また、扉４の縦横寸法が郵便受け箱本体１よりも大きく、正面から見て郵便受け箱本体１が扉４の後方に隠れているので、すっきりした斬新な意匠となっている。カバー材６と扉本体５に縦スリット状の窓部２４，１７を前後方向に重なるように設けたので、扉４を閉じたままの状態で窓部２４，１７から郵便受け箱本体１内の郵便物の有無を容易に確認できる。図７に示すように、上蓋１０を上方に回動することにより、投函口２から郵便物を投函できる。
郵便物を取出す際には、図１（ｂ）に示すように、カバー材６を右方向にスライドさせることでダイヤル錠７の操作部７ａが露出し、その後、操作部７ａを操作してダイヤル錠７を解錠し、図１（ｃ）に示すように扉４を前方に開くことで、郵便物を取出し口３から取出せる。カバー材６をスライドする際、図６（ａ）（ｂ）に示すように、ストッパー２０を摺接部材９に突き当てることでカバー材６のスライド範囲を規制しているので、カバー材６が扉本体５から外れることがない。また、カバー材６の扉本体５との係合部を樹脂製の摺接部材９により形成したので、スライド時に金属音が発生することもなく、軽い力でスムーズにカバー材６をスライドできる。
また本郵便受け箱の扉４は、カバー材６、表側部材５ａ、裏側部材５ｂをそれぞれ箱状に形成し、これらを組合わせることにより、容易に製作することができる。
【００１８】
本発明は以上に述べた実施形態に限定されない。カバー材６は、扉本体５の左右の縁部に係合して上下方向にスライド自在に設けることもできる。扉本体５は、表側部材５ａと裏側部材５ｂとに分けて製作するのではなく、表側部と裏側部を一体で形成することもできる。また、図８（ａ），（ｂ）に示すように、裏側部材５ｂが裏側が開放した箱状に形成されておらず、裏側部材５ｂが取出し口３の内周に嵌まり込んでいるもの、取出し口３に表側に向けて筒状部２６が形成されていないものであってもよい。また図８（ｃ）に示すように、郵便受け箱本体１の前面に凹溝１１を形成することなく、取出し口３を郵便受け箱本体１の前面から突出して筒状に形成し、扉本体５の裏側部材５ｂで取出し口３を囲むようにしてもよい。さらに扉本体５は、取出し口３に嵌まり込む裏側部材５ｂを有しないものであってもよい。取出し口３と扉４は、郵便受け箱本体１の側面や後面に設けることもできる。投函口２は、郵便受け箱本体１の側面や前面に設けることもできる。扉のロック手段７は、扉４を閉状態に拘束できるものであればよく、ダイヤル錠に限らず任意のものを用いることができる。本発明の郵便受け箱は、壁付けタイプのものに限らず、支柱に支持して設置することもできる。
【図面の簡単な説明】
【００１９】
【図１】本発明の郵便受け箱の使用状態を示す斜視図であって、（ａ）は扉を閉じた状態、（ｂ）は扉のカバー材をスライドさせた状態、（ｃ）は扉を開いた状態を示している。
【図２】（ａ）は本発明の郵便受け箱の一実施形態を示す平面図、（ｂ）は同正面図、（ｃ）は同側面図である。
【図３】図２のＡ−Ａ断面図である。
【図４】図２のＢ−Ｂ断面図である。
【図５】扉の分解斜視図である。
【図６】カバー材の扉本体との係合部を示す横断面図であって、（ａ）はカバー材をスライドさせる前の状態、（ｂ）はカバー材をスライドさせた状態を示している。
【図７】郵便物を投函するときの状態を示す斜視図である。
【図８】扉本体の裏側部材と取出し口との嵌まり具合の他の例を示す断面図である。
【符号の説明】
【００２０】
１  郵便受け箱本体
２  投函口
３  取出し口
４  扉
５  扉本体
５ａ  表側部材（表側部）
５ｂ  裏側部材（裏側部）
６  カバー材
７  ダイヤル錠（ロック手段）
７ａ  ダイヤル錠の操作部
８  凹部
９  摺接部材（係合部）
１１ａ  突出片
１１ｃ  延出片
２６  筒状部
【図１】
0005101336.tif 000002
【図２】
0005101336.tif 000003
【図３】
0005101336.tif 000004
【図４】
0005101336.tif 000005
【図５】
0005101336.tif 000006
【図６】
0005101336.tif 000007
【図７】
0005101336.tif 000008
【図８】
0005101336.tif 000009